(57)【要約】      （修正有）【課題】  Ｘ線造影糸の抜け止め用に縦糸を密織りする手間を省く。Ｘ線造影糸の抜け止め用に縦糸を増やさない。Ｘ線造影糸の抜け止め効果を高める。【解決手段】  縦糸と横糸を平織りし、横糸７の折り返し端付近の耳部１の縦糸６群を密織りしたガーゼにおいて、耳部１の密織り縦糸６群にＸ線造影糸４が縦糸として混入して織り込まれており、Ｘ線造影糸４が耳部１の密織り縦糸群６の中間又は横糸７折り返し端側の縁に位置し、Ｘ線造影糸４の横糸７折り返し端側の反対側に耳部の密織り縦糸６が配列して隣接している。【選択図】  図３
2007330425.tif 000002
【特許請求の範囲】
【請求項１】
縦糸と横糸を平織りし、横糸の折り返し端付近の密織り耳部の縦糸群にＸ線造影糸を縦糸として混入し、Ｘ線造影糸を含めて耳部の縦糸群を密織りし、縦糸のＸ線造影糸を耳部の密織り縦糸群の中間又は横糸折り返し端側の縁に配置し、Ｘ線造影糸の横糸折り返し端側の反対側に耳部の密織り縦糸を配列して隣接することを特徴とするＸ線造影糸付きガーゼの製造法。
【請求項２】
縦糸と横糸を平織りし、横糸の折り返し端付近の耳部の縦糸群を密織りしたガーゼであって、
耳部の密織り縦糸群にＸ線造影糸が縦糸として混入しており、縦糸のＸ線造影糸が耳部の密織り縦糸群の中間又は横糸折り返し端側の縁に織り込まれており、Ｘ線造影糸の横糸折り返し端側の反対側に耳部の密織り縦糸が配列して隣接していることを特徴とするＸ線造影糸付きガーゼ。
【請求項３】
縦糸のＸ線造影糸は、耳部の密織り縦糸群の中間に位置し、横糸折り返し端側とその反対側に、それぞれ、耳部の密織り縦糸が配列して隣接し、横糸方向の両側が耳部の密織り縦糸で挟まれていることを特徴とする請求項２に記載のＸ線造影糸付きガーゼ。
【請求項４】
縦糸のＸ線造影糸は、耳部の密織り縦糸群の横糸折り返し端側の縁に位置し、横糸折り返し端側の反対側に耳部の密織り縦糸が配列して隣接し、横糸方向の両側が耳部の密織り縦糸と横糸の折り返し端で挟まれていることを特徴とする請求項２に記載のＸ線造影糸付きガーゼ。
【発明の詳細な説明】
【技術分野】
【０００１】
本発明は、医療に用いられるＸ線造影糸付きガーゼに関する。
【背景技術】
【０００２】
特許文献１のＸ線造影糸付きガーゼは、縦糸と横糸を平織りしており、横糸の折り返し端、耳の縦糸又はこれに近い縦糸をＸ線造影糸にしている。Ｘ線造影糸付きガーゼは、手術時に人体内に入れて使用される。このガーゼは、人体内に残った場合、Ｘ線造影糸がＸ線写真に写り、発見し易い。
【０００３】
特許文献２のＸ線造影糸付きガーゼは、縦糸と横糸を平織りしており、縦糸のうちの少なくとも１本をＸ線造影糸にし、Ｘ線造影糸の抜け止めを施している。この抜け止めは、特許文献２によると、次のようである。Ｘ線造影糸の両側に近接する複数本の縦糸は、お互いが接触し、かつ、Ｘ線造影糸とも接触するように密に織り込んでいる。Ｘ線造影糸の両側に密に織り込まれる縦糸は、それぞれ、２本以上で４本以下にしている。また、Ｘ線造影糸の両側に接触する２本の縦糸は、扁平状にし、Ｘ線造影糸と面接触するように織り込んでいる。
【０００４】
【特許文献１】実公昭４９−４７５００号公報
【特許文献２】特開２００３−３２５５７３号公報
【発明の開示】
【発明が解決しようとする課題】
【０００５】
［背景技術の課題］
特許文献１のＸ線造影糸付きガーゼにおいては、縦糸のＸ線造影糸は、通常の目の粗い平織りによって横糸に挟まれているだけである。抜け出し易い。Ｘ線造影糸が抜け落ちたガーゼは、人体内に残った場合、Ｘ線写真に写らず、発見し難い。
【０００６】
特許文献２のＸ線造影糸付きガーゼにおいては、縦糸のＸ線造影糸は、平織りによって厚さ方向の両側が横糸に挟まれている一方、横糸方向の両側が密に織られた縦糸に挟まれて接触している。
【０００７】
ところが、特許文献２の技術においては、Ｘ線造影糸の抜け止めのために、Ｘ線造影糸とその両側に近接する縦糸をお互いが接触するように密に織り込む手間が掛る。その上、縦糸は、Ｘ線造影糸の抜け止め用に密に織り込むために、本数が増加する。製造原価が増える。
【０００８】
また、縦糸のＸ線造影糸は、ガーゼの横糸方向の中間に位置し、Ｘ線造影糸の両側の抜け止め用縦糸の外側は、通常の目の粗い平織りである。Ｘ線造影糸の片側に隣接する抜け止め用縦糸も、他の片側に隣接する抜け止め用縦糸も、それぞれ、Ｘ線造影糸側と反対側、通常の平織り部分にずれてＸ線造影糸から離れることがある。抜け止め用縦糸がＸ線造影糸から離れると、Ｘ線造影糸が抜け出し易くなる。
【０００９】
［課題を解決するための着想］
医療用の平織りのガーゼには、一般に、横糸方向の両側の耳部、横糸の折り返し端付近の縦糸を糸のほつれ止め用に密織りするガーゼと、横糸の折り返し端付近の縦糸を密織りしないガーゼがある。なお、特許文献１、２のガーゼは、耳部の縦糸を密織りしておらず、後者のガーゼである。
【００１０】
本発明者は、前者のガーゼ、耳部の縦糸を糸のほつれ止め用に密織りするガーゼに着目した。この種のガーゼにおいて、耳部の密織り縦糸をＸ線造影糸の抜け止めにも利用することにした。
【００１１】
ガーゼの原布を織る際、密織り耳部になる縦糸群にＸ線造影糸を縦糸として混入し、Ｘ線造影糸を含めて耳部の縦糸群を密織りし、縦糸のＸ線造影糸を耳部の密織り縦糸群の横糸方向中間に織り込み、Ｘ線造影糸の横糸折り返し端側とその反対側に、それぞれ、耳部の密織り縦糸を配列する。Ｘ線造影糸は、横糸方向の両側を耳部の密織り縦糸で挟まれ、横糸方向の両側に抜け止め用縦糸が隣接する。
【００１２】
すると、耳部の密織り縦糸以外の縦糸をＸ線造影糸の抜け止め用に密織りする手間が省かれる。その上、縦糸の本数は、Ｘ線造影糸の抜け止め用に増加する必要がない。
【００１３】
また、Ｘ線造影糸の横糸折り返し端側に隣接する抜け止め用縦糸は、その反対側に隣接する抜け止め用縦糸とは異なり、Ｘ線造影糸側と反対側にずれようとしても、横糸の折り返し端に阻まれる。即ち、Ｘ線造影糸側と反対側にずれ難く、Ｘ線造影糸から離れ難い。抜け止め用縦糸がＸ線造影糸側と反対側にずれてＸ線造影糸が抜け出し易くなることが半減する。Ｘ線造影糸の抜け止め効果が高い。
【００１４】
上記の場合、縦糸のＸ線造影糸は、耳部の密織り縦糸群の横糸方向中間に配置したが、耳部の密織り縦糸群の縁、横糸折り返し端側の縁に配置する。すると、Ｘ線造影糸は、横糸の折り返し端と耳部の密織り縦糸に挟まれ、横糸方向の両側に横糸の折り返し端と耳部のすべての密織り縦糸が隣接する。耳部の密織り縦糸に横糸の折り返し端が加わって、Ｘ線造影糸の抜け止めになる。
【課題を解決するための手段】
【００１５】
１）縦糸と横糸を平織りし、横糸の折り返し端付近の密織り耳部の縦糸群にＸ線造影糸を縦糸として混入し、Ｘ線造影糸を含めて耳部の縦糸群を密織りし、縦糸のＸ線造影糸を耳部の密織り縦糸群の中間又は横糸折り返し端側の縁に配置し、Ｘ線造影糸の横糸折り返し端側の反対側に耳部の密織り縦糸を配列して隣接することを特徴とするＸ線造影糸付きガーゼの製造法。
【００１６】
２）縦糸と横糸を平織りし、横糸の折り返し端付近の耳部の縦糸群を密織りしたガーゼであって、
耳部の密織り縦糸群にＸ線造影糸が縦糸として混入しており、縦糸のＸ線造影糸が耳部の密織り縦糸群の中間又は横糸折り返し端側の縁に織り込まれており、Ｘ線造影糸の横糸折り返し端側の反対側に耳部の密織り縦糸が配列して隣接していることを特徴とするＸ線造影糸付きガーゼ。
【００１７】
３）上記２）のＸ線造影糸付きガーゼにおいて、
縦糸のＸ線造影糸は、耳部の密織り縦糸群の中間に位置し、横糸折り返し端側とその反対側に、それぞれ、耳部の密織り縦糸が配列して隣接し、横糸方向の両側が耳部の密織り縦糸で挟まれていることを特徴とする。
【００１８】
４）上記２）のＸ線造影糸付きガーゼにおいて、
縦糸のＸ線造影糸は、耳部の密織り縦糸群の横糸折り返し端側の縁に位置し、横糸折り返し端側の反対側に耳部の密織り縦糸が配列して隣接し、横糸方向の両側が耳部の密織り縦糸と横糸の折り返し端で挟まれていることを特徴とする。
【発明の効果】
【００１９】
Ｘ線造影糸の抜け止め用に耳部以外の縦糸を密織りする手間が省かれる。Ｘ線造影糸の抜け止め用に縦糸を増加する必要がない。
【００２０】
また、Ｘ線造影糸の横糸折り返し端側に抜け止め用縦糸が隣接する場合、その抜け止め用縦糸は、その反対側に隣接する抜け止め用縦糸とは異なり、横糸の折り返し端に阻まれて、Ｘ線造影糸側と反対側にずれ難く、Ｘ線造影糸から離れ難い。Ｘ線造影糸の抜け止め効果が高い。
【発明を実施するための最良の形態】
【００２１】
［第１例（図１〜図５参照）］
本例のＸ線造影糸付きガーゼは、医療用であり、手術時に人体内に入れて使用される。
【００２２】
このガーゼの原布は、織機において、縦糸と横糸をそれぞれ４０番手の綿糸にし、縦糸と横糸の密度を、それぞれ、密織り部を除いて１２±１本／cmにして、約３０cm幅の帯状に平織りする。この際、横糸の折り返し端付近の両側の耳部の縦糸群は、それぞれ、最大密度で密織りする。片側の耳部の縦糸群には、Ｘ線造影糸を縦糸として混入する。
【００２３】
Ｘ線造影糸付きガーゼの平織り原布は、図１に示すように、左右の両側の耳部１の縦糸群をそれぞれに縦糸密織り部１にし、長さ約３０cm毎に横糸のない糸抜き部２を形成し、糸抜き部２の前後の両側の横糸群３をそれぞれ横糸密織り部３にしている。片側の密織り耳部１には、横糸方向の中間位置にＸ線造影糸４を縦糸として織り込んでいる。
【００２４】
Ｘ線造影糸４は、Ｘ線が透過しない造影剤の硫酸バリウムを含んだポリプロピレンやポリエステルなどの合成樹脂の糸である。直径は、０．６〜１ｍｍ位であり、４０番手の綿糸より太い。
【００２５】
片側の密織り耳部１にＸ線造影糸４を織り込んだ平織り原布は、各糸抜き部２の縦糸とＸ線造影糸４を中間位置で切断し、図２に示すように、約３０cm角の尺角ガーゼにする。
【００２６】
この尺角ガーゼの両側の耳部１、縦糸密織り部１は、それぞれ、縦糸６の密度が平織物の最大密度であり、縦糸６の間の距離が横糸７の直径以下であって、横糸７を挟む最小距離である。縦糸６と横糸７は、綿糸、変形し易い糸であって、湾曲したり、扁平になったりする。従って、耳部１の密織り縦糸６は、横糸７横断部分を除いて、隣の縦糸６と接触していることがある。なお、Ｘ線造影糸４は、縦糸６と横糸７、綿糸程には変形し易くない。
【００２７】
片側の耳部１、縦糸密織り部１は、図３〜図５に一部を拡大して示すように、縦糸のＸ線造影糸４が横糸７方向の中央に位置している。Ｘ線造影糸４の横糸７折り返し端側とその反対側には、それぞれ、耳部１の密織り縦糸６が配列して隣接している。Ｘ線造影糸４の両側の密織り縦糸６は、それぞれ、耳部１のすべての密織り縦糸６の半分である。縦糸のＸ線造影糸４は、横糸７方向の両側が耳部１の密織り縦糸６で挟まれている。また、縦糸のＸ線造影糸４は、ガーゼの厚さ方向の両側面、上側面と下側面に多数の横糸７が交互に接触して交差し、厚さ方向の両側が多数の横糸７に挟まれている。Ｘ線造影糸４の両側の密織り縦糸６は、Ｘ線造影糸４を挟む横糸７が緩むのを防止している。Ｘ線造影糸４の抜け止め用になっている。
【００２８】
Ｘ線造影糸４の横糸７折り返し端側に隣接する抜け止め用密織り縦糸６は、その反対側に隣接する抜け止め用密織り縦糸６とは異なり、横糸７の折り返し端に阻まれて、Ｘ線造影糸４側と反対側にずれ難く、Ｘ線造影糸４から離れ難い。Ｘ線造影糸４の抜け止め効果が高い。なお、Ｘ線造影糸４の横糸７折り返し端側の反対側に隣接する抜け止め用密織り縦糸６の外側は、通常の目の粗い平織りである。
【００２９】
Ｘ線造影糸４の両側の抜け止め用密織り縦糸６は、同数であるが、横糸７折り返し端側の抜け止め用密織り縦糸６を減らして、横糸７折り返し端側の反対側の抜け止め用密織り縦糸６を増やしてもよい。また、その増減を逆にしてもよい。
【００３０】
［第２例（図６〜図８参照）］
本例のＸ線造影糸付きガーゼは、縦糸のＸ線造影糸４の織り込み配置位置が第１例におけるのとは異なる。Ｘ線造影糸４は、片側の密織り耳部１の横糸７方向の中間ではなく、横糸７折り返し端側の縁に位置している。
【００３１】
このガーゼの片側の耳部１、縦糸密織り部１は、図６〜図８に一部を拡大して示すように、縦糸のＸ線造影糸４が横糸７折り返し端側の縁に位置している。Ｘ線造影糸４は、周面の外側半周強に横糸７の折り返し端が螺旋状に巻き付いて接触している。Ｘ線造影糸４の横糸７折り返し端側には、耳部１の密織り縦糸６がなく、横糸７の折り返し端が隣接している。Ｘ線造影糸４の横糸７折り返し端側の反対側には、耳部１のすべての密織り縦糸６が配列して隣接している。Ｘ線造影糸４は、横糸７方向の両側が耳部１のすべての密織り縦糸６と横糸７の折り返し端で挟まれている。また、Ｘ線造影糸４は、多数の横糸７が周面の外側半周強に接触して折り返し、多数の横糸７に挟まれている。
【００３２】
Ｘ線造影糸４の横糸７折り返し端側の反対側の密織り縦糸６は、第１例におけるのと同様に、Ｘ線造影糸４を挟む横糸７が緩むのを防止している。その密織り縦糸６は、本数が第１例におけるのより倍増している。横糸７は、Ｘ線造影糸４の半周強に巻き付いており、Ｘ線造影糸４と接触する面積が第１例におけるのより広くなっている。Ｘ線造影糸４の抜け止め効果が高い。
【００３３】
その他の点は、第１例におけるのと同様である。
【００３４】
［変形例］
１）上記の実施形態において、Ｘ線造影糸４の織り込み場所は、片側の密織り耳部１であるが、両側の密織り耳部１にする。
２）上記の実施形態において、Ｘ線造影糸４の織り込み本数は、１本であるが、複数本にする。
３）上記の実施形態において、Ｘ線造影糸４は、Ｘ線が透過しない造影剤を含んだ合成樹脂の糸であるが、Ｘ線が透過しない金属、例えば銀線を含んだ糸にする。
４）上記の実施形態において、ガーゼは、正方形状にしたが、長方形状にする。
５）上記の実施形態において、ガーゼの原布は、両側の耳部１を縦糸密織り部にしたが、Ｘ線造影糸を織り込まない片側の耳部を縦糸密織り部にしない。
６）上記の実施形態において、ガーゼの原布は、一定長さ毎に横糸のない糸抜き部２を設け、糸抜き部２の両側を横糸密織り部３にしたが、糸抜き部を設けない。横糸密織り部を設けない。
【図面の簡単な説明】
【００３５】
【図１】本発明の実施形態の第１例におけるＸ線造影糸付きガーゼの原布の中間省略部分概略平面図。
【図２】同Ｘ線造影糸付きガーゼの中間省略概略平面図。
【図３】同Ｘ線造影糸付きガーゼのＸ線造影糸混入耳部の部分拡大平面図。
【図４】図３のＡ−Ａ線断面図。
【図５】図３のＢ−Ｂ線断面図。
【図６】実施形態の第２例におけるＸ線造影糸付きガーゼのＸ線造影糸混入耳部の部分拡大平面図。
【図７】図６のＣ−Ｃ線断面図。
【図８】図６のＤ−Ｄ線断面図。
【符号の説明】
【００３６】
１  Ｘ線造影糸付きガーゼの耳部、縦糸密織り部、密織り耳部
２  Ｘ線造影糸付きガーゼの横糸のない糸抜き部
３  糸抜き部の前後の横糸群、横糸密織り部
４  Ｘ線造影糸、縦糸
６  耳部の密織り縦糸、縦糸
７  横糸
【図１】
2007330425.tif 000003
【図２】
2007330425.tif 000004
【図３】
2007330425.tif 000005
【図４】
2007330425.tif 000006
【図５】
2007330425.tif 000007
【図６】
2007330425.tif 000008
【図７】
2007330425.tif 000009
【図８】
2007330425.tif 000010